(57)【要約】【課題】切換装置の寸法による制約を受けることなく分割ユニットロールの幅を狭くし、分割ロールに期待される効用を高める。【解決手段】支持部材１５に外嵌して軸芯１０の直交方向２０に摺動可能に支持されて珠子繋ぎ状に配列された複数個の可動部材１６に外嵌して回転可能に支持される複数個の分割ユニットロール１７の周面によって分割ロール全体２３の周面を構成する。支持部材には可動部材を個々に駆動する複数個の駆動装置を組み込む。駆動装置を、可動部材の個数に応じたシリンダー２１・２２と、各シリンダーに圧力を伝達する流通管１８と、その圧力切換装置１１・１２によって構成する。切換装置は、支持部材の２面以上に分け、それぞれ軸芯方向１０での位置をずらして支持部材１５に取り付ける。その位置をずれた分だけ分割ユニットロールの幅を切換装置の寸法よりも狭くすることが出来る。【選択図】図２
2005178139.tif 000002
【特許請求の範囲】
【請求項１】
（ａ）  非円形断面の軸桿によって構成される支持部材（１５）に外嵌し、その軸芯（１０）に直交する方向（２０）に摺動可能に支持されて珠子繋ぎ状に多数支持部材に配列された複数個の可動部材（１６）にそれぞれ外嵌し、その支持部材の軸芯（１０）の周りに回転可能に可動部材（１６）に支持された複数個の筒体（１７）の周面によってロール全体（２３）の周面が構成されており、その支持部材の軸芯に直交する方向（２０）に各可動部材（１６）を個々に駆動する複数個の駆動装置が支持部材（１５）に組み込まれた印刷機の分割ロール（２３）において、（ｂ）  その駆動装置が、可動部材の個数に応じた複数個のシリンダー（２１・２２）と、その各シリンダー（２１・２２）に圧力を伝達する流通管（１８）と、各シリンダー（２１・２２）への圧力の伝達を切り換える可動部材（１６）の数に応じた複数個の切換装置（１１・１２・１３・１４）によって構成され、（ｃ）  その複数個の切換装置が、支持部材の断面の四方を縁取る支持部材（１５）の正面と平面と背面と底面との４面の中の少なくとも２面に分かれて支持部材（１５）に取り付けられており、（ｄ）  それらのシリンダー（２１・２２）が、支持部材（１５）に設けた円筒形凹部（１９）にピストン（２９）を嵌め込んで構成されている印刷機分割ロール。
【請求項２】
（ｅ）  複数個の切換装置（１１・１２）が、支持部材（１５）の断面の四方を縁取る正面と平面と背面と底面との４面の中の互いに逆向きとなる２面に分かれて支持部材（１５）に取り付けられている前掲請求項１に記載の印刷機分割ロール。
【請求項３】
（ｆ）  １個の可動部材（１６）に対し２個１組となるシリンダー（２１・２２）が、ピストン（２９）の作動方向（２０）を逆向きにして、支持部材（１５）の互いに逆向きとなる２面に設けられており、（ｇ）  複数個の切換装置（１１・１２）が、支持部材の正面と平面と背面と底面との４面の中の互いに逆向きとなる２面であって、シリンダー（２１・２２）の設けられている２面とは異なる２面に分かれて、支持部材（１５）に取り付けられている前掲請求項２に記載の印刷機分割ロール。
【請求項４】
（ｈ）  各可動部材（１６）を駆動する駆動装置が、シリンダー（２１）と戻しバネ（２８）によって構成され、（ｉ）  そのシリンダー（２１）と戻しバネ（２８）が、シリンダー（２１）のピストン（２９）の作動方向（２０）において互いに逆向きとなる支持部材（１５）の２面に分かれて設けられており、（ｊ）  支持部材（１５）に配列されて隣合う一方の可動部材（１６ａ）を駆動するシリンダー（２１ａ）と他方の可動部材（１６ｂ）を駆動するシリンダー（２１ｂ）、および、支持部材（１５）に配列されて隣合う一方の可動部材（１６ａ）を駆動する戻しバネ（２８ａ）と他方の可動部材（１６ｂ）を駆動する戻しバネ（２８ｂ）が、それぞれ互いに逆向きになっており、（ｋ）  複数個の切換装置（１１・１２）が、支持部材の正面と平面と背面と底面との４面の中の互いに逆向きとなる２面であって、シリンダー（２１）と戻しバネ（２８）が設けられている２面とは異なる２面に分かれて、支持部材（１５）に取り付けられている前掲請求項２に記載の印刷機分割ロール。
【請求項５】
（ｌ）  支持部材の軸芯（１０）に平行に続く嵌込溝（３１・３２・３３・３４）が支持部材（１５）に設けられており、（ｍ）  その嵌込溝（３１・３２・３３・３４）に切換装置（１１・１２・１３・１４）が嵌め込まれている前掲請求項１と請求項２と請求項３と請求項４に記載の印刷機分割ロール。
【請求項６】
（ｎ）  支持部材（１５）に取り付けられて軸芯方向（１０）に隣合って並ぶ切換装置（１１ａ・１１ｂ・１１ｃ………）が、押さえ板（２７）によって支持部材（１５）に固定されており、（ｏ）  シリンダー（２１・２２）に圧力を伝達する流通管（１８）が押さえ板（２７）に形成されており、押さえ板（２７）が流通管（１８）を兼ね備えている前掲請求項１と請求項２と請求項３と請求項４と請求項５に記載の印刷機分割ロール。
【発明の詳細な説明】
【技術分野】
【０００１】
本発明は、印刷機のインキ壺側のロール（以下、ファンテンロールと言う。）と版面側のロール（以下、練りロールと言う。）の間で往復振動し、ファンテンロールから練りロールへとインキを転送するインキ呼び出しロールに関するものである。
【背景技術】
【０００２】
インキ呼び出しロールとして、（イ）  非円形断面の軸桿によって構成される支持部材に外嵌しその軸芯に直交する方向に摺動可能に支持されて珠子繋ぎ状に多数支持部材に配列された複数個の可動部材がそれぞれ外嵌し、その可動部材に支持部材の軸芯の周りに回転可能に支持された複数個の筒体の周面によってロール全体の周面が構成されており、（ロ）  その支持部材の軸芯に直交する方向に各可動部材を個々に駆動する複数個の駆動装置が支持部材に組み込まれており、（ハ）  その駆動装置が、可動部材の個数と同数のシリンダーおよび同数の戻しバネと、その各シリンダーに圧力を伝達する流通管と、各シリンダーへの圧力の伝達を切り換える可動部材の数に応じた複数個の切換装置によって構成され、（ニ）  シリンダーが、支持部材に設けた円筒形凹部にピストンを嵌め込んで構成されており、（ホ）  戻しバネが、シリンダーの円筒形凹部とは逆向きに支持部材に設けられた円筒形凹部にタペットを介して、可動部材をピストンの作動方向とは逆向きに付勢するように構成された印刷機分割ロールは公知である（例えば、特許文献１参照）。この印刷機分割ロールにおいて、（ヘ）  支持部材を角形軸桿によって構成し、その支持部材に流通管を軸芯方向に設け、支持部材を流通管に兼用すること、および、（ト）  中実短円柱形部材の中心部に、支持部材が接触して嵌合する角形断面の貫通孔と、切換装置の遊嵌する角形断面の貫通孔を、それらの間を仕切ることなく穿設して可動部材を構成することは公知である（例えば、特許文献２参照）。その印刷機分割ロールにおいて、（チ）
３個の空気出入孔（ポート）を有し、ソレノイドによるオン・オフ操作によって一部の空気出入孔と他の一部の空気出入孔を択一的に開閉される３ポート電磁弁（３ポートソレノイドバルブとも言う。）を切換装置に適用し、（リ）  その一部の空気出入孔が開かれるときはピストンが戻りバネに抗して可動部材を駆動し、その他の一部の空気出入孔が開かれるときはピストンが解放されて可動部材が戻りバネによって押し戻されるようにすることは公知である（例えば、特許文献３参照）。又、（ヌ）  戻りバネに代えてシリンダーを使用し、１個の可動部材に対して２個１組となる各組２個のシリンダーを互いに逆向きとなる２面に分けて支持部材に設け、（ル）  ５個の空気出入孔（ポート）を有し、ソレノイドによるオン・オフ操作によって一部の空気出入孔と他の一部の空気出入孔の開閉が択一的に切り換えられる５ポート電磁弁（５ポートソレノイドバルブとも言う。）を切換装置に適用し、（オ）  その２個１組となる各組２個のシリンダーのピストンを択一的に操して各可動部材を支持部材上で往復振動する印刷機分割ロールは公知である（例えば、特許文献３参照）。
【特許文献１】特開昭６０−３８１６０号公報、第１図、第３図）。
【特許文献２】特許第２８６６９９７号公報（特許請求の範囲、図３）。
【特許文献３】特開平１１−３２０８４号公報（０００４、図４、および、００１０、００１３、００１４、図３）。
【発明の開示】
【発明が解決しようとする課題】
【０００３】
上記の印刷機分割ロールにおいて、３ポートソレノイドバルブや５ポートソレノイドバルブ等の切換装置は、支持部材の軸芯に平行に一直線上に配置されており、又、分割ロール全体の周面を構成する分割された個々の筒体（以下、分割ユニットロールと言う。）は、それぞれ対応する１個の切換装置の操作によってファンテンロールと練りロールの間で往復振動するようになっている。このため、分割ユニットロールの幅は、支持部材の軸芯に沿って一直線上に配置される切換装置の寸法によって制限され、その幅を切換装置の寸法よりも狭くすることは出来ない。
【０００４】
しかし、分割ロールの効用は、その軸芯方向において多数の分割ユニットロールに分割されており、インキ塗着量が少なくなった練りロールの一部分に、その練りロールの一部分に対応するファンテンロールの一部分から、その一部分に対応する分割ユニットロールがインキを受け取って供給することが出来る点、即ち、版面に描かれてインキを消費する画像に位置が対応しており、インキの消費量が多くなる練りロールの一部分にだけ、その消費量に応じてインキを供給することが出来る点にある。この点で、切換装置の寸法によって分割ユニットロールの幅が限定される従来の分割ロールでは、その本来の効用が充分に発揮されない。そこで本発明は、切換装置の寸法による制約を受けることなく分割ユニットロールの幅を狭くし、分割ロールに期待される効用を高めることを目的とする。
【課題を解決するための手段】
【０００５】
本発明に係る分割ロールは、（ａ）  非円形断面の軸桿によって構成される支持部材１５に外嵌し、その軸芯１０に直交する方向２０に摺動可能に支持されて珠子繋ぎ状に多数支持部材に配列された複数個の可動部材１６にそれぞれ外嵌し、その支持部材の軸芯１０の周りに回転可能に可動部材１６に支持された複数個の筒体１７の周面によってロール全体（２３）の周面が構成されており、その支持部材の軸芯に直交する方向２０に各可動部材１６を個々に駆動する複数個の駆動装置が支持部材１５に組み込まれており、（ｂ）  その駆動装置が、可動部材の個数に応じた複数個のシリンダー２１（２２）と、その各シリンダー２１（２２）に圧力を伝達する流通管１８と、各シリンダー２１（２２）への圧力の伝達を切り換える可動部材１６の数に応じた複数個の切換装置１１・１２（１３・１４）によって構成され、（ｃ）  その複数個の切換装置１１・１２（１３・１４）が、支持部材の断面の四方を縁取る支持部材１５の正面と平面と背面と底面との４面の中の少なくとも２面に分かれて支持部材１５に取り付けられており、（ｄ）  それらのシリンダー２１（２２）が、支持部材１５に設けた円筒形凹部１９にピストン２９を嵌め込んで構成されていることを第１の特徴とする。
【０００６】
本発明に係る分割ロールの第２の特徴は、上記第１の特徴に加えて、（ｅ）  複数個の切換装置１１・１２が、支持部材１５の断面の四方を縁取る正面と平面と背面と底面との４面の中の互いに逆向きとなる２面に分かれて支持部材１５に取り付けられている点にある。
【０００７】
本発明に係る分割ロールの第３の特徴は、上記第２の特徴に加えて、（ｆ）  １個の可動部材１６に対し２個１組となるシリンダー２１・２２が、ピストン２９の作動方向２０を逆向きにして、支持部材１５の互いに逆向きとなる２面に設けられており、（ｇ）  複数個の切換装置１１・１２が、支持部材の正面と平面と背面と底面との４面の中の互いに逆向きとなる２面であって、シリンダー２１・２２の設けられている２面とは異なる２面に分かれて、支持部材１５に取り付けられている点にある。
【０００８】
本発明に係る分割ロールの第４の特徴は、上記第２の特徴に加えて、（ｈ）  各可動部材１６を駆動する駆動装置が、シリンダー２１と戻しバネ２８によって構成され、（ｉ）  そのシリンダー２１と戻しバネ２８が、シリンダー２１のピストン２９の作動方向２０において互いに逆向きとなる支持部材１５の２面に分かれて設けられており、（ｊ）  支持部材１５に配列されて隣合う一方の可動部材１６ａを駆動するシリンダー２１ａと他方の可動部材１６ｂを駆動するシリンダー２１ｂ、および、支持部材１５に配列されて隣合う一方の可動部材１６ａを駆動する戻しバネ２８ａと他方の可動部材１６ｂを駆動する戻しバネ２８ｂが、それぞれ互いに逆向きになっており、（ｋ）  複数個の切換装置１１・１２が、支持部材の正面と平面と背面と底面との４面の中の互いに逆向きとなる２面であって、シリンダー２１と戻しバネ２８が設けられている２面とは異なる２面に分かれて、支持部材１５に取り付けられている点にある。
【０００９】
本発明に係る分割ロールの第５の特徴は、上記第１、第２、第３および第４の何れかの特徴に加えて、（ｌ）  支持部材の軸芯１０に平行に続く嵌込溝３１（３２・３３・３４）が支持部材１５に設けられており、（ｍ）  その嵌込溝３１（３２・３３・３４）に切換装置１１（１２・１３・１４）が嵌め込まれている点にある。
【００１０】
本発明に係る分割ロールの第６の特徴は、上記第１、第２、第３、第４および第５の何れかの特徴に加えて、（ｎ）  支持部材１５に取り付けられて軸芯方向１０に隣合って並ぶ切換装置１１ａ・１１ｂ・１１ｃ………が、押さえ板２７によって支持部材１５に固定されており、（ｏ）  シリンダー２１（２２）に圧力を伝達する流通管１８が押さえ板２７に形成されており、押さえ板２７が流通管１８を兼ね備えている点にある。
【発明の効果】
【００１１】
本発明（請求項１）によると、切換装置１１・１２（１３・１４）が支持部材の軸芯１０に平行な少なくとも２本の直線上に分かれて配置されることになり、その各直線上に配置される複数個の切換装置１１ａ・１１ｂ・１１ｃ………の寸法の合計寸法が、その１本の直線上に全ての切換装置を配置する場合に比して小さくなり、その分だけ分割ユニットロール１７の幅Ｗを狭くすることが出来る。
【００１２】
本発明（請求項２）によると、切換装置１１・１２が支持部材の軸芯１０に対し表裏（左右）対称に配置されることになり、支持部材の断面構造がシンプルになるので、支持部材が製作し易くなり、分割ロール２３の製作精度がアップする。
【００１３】
本発明（請求項３）によると、練りロール２５やファンテンロール２６に向かう分割ユニットロール１７の前進と後退が、共に逆向きに作動するシリンダー２１・２２によって積極的に行われるので、練りロール２５のインキの消費量の変化に対する応答性がよく、練りロール２５からファンテンロール２６のインキの供給量を細かくコントロールすることが出来る。
【００１４】
本発明（請求項４）によると、シリンダー２１・２２と、シリンダーよりも嵩の低い戻りバネ２８とが支持部材の軸芯方向１０に交互に並ぶので、戻りバネ２８を間において隣合うシリンダー２１ａ（２２ａ）とシリンダー２１ｂ（２２ｂ）の間の寸法Ｌを切換装置の寸法Ｓの範囲内で狭くすることが出来、分割ユニットロールの幅Ｗを更に狭くすることが出来る。
【００１５】
本発明（請求項５）によると、複数個の切換装置１１ａ・１１ｂ・１１ｃ………を、嵌込溝３１（３２・３３・３４）に嵌め込み、その嵌込溝に沿って寄せ集めて、所定の間隔でコンパクトに支持部材１５に取り付けることが出来、切換装置の寸法Ｓの範囲内で分割ユニットロールの幅Ｗを狭くし易くなる。
【００１６】
本発明（請求項６）によると、支持部材１５に流通管１８を穿設する必要がなく、嵌込溝３１を深くして切換装置１１を支持部材１５に深く装着することが出来、支持部材１５に比して嵩の低い押さえ板２７に流通管１８を穿設するので、その穿設作業が容易である。又、シリンダー２１・２２と流通管１８をそれらが露出する支持部材１５の外側で接続することになるので、その接続作業が楽になる。
【発明を実施するための最良の形態】
【００１７】
シリンダーにはエアーシリンダーと油圧シリンダーを適用することが出来る。以下、エアーシリンダーを適用した分割ロール２３によって本発明を具体的に説明する。切換装置１１・１２（１３・１４）には、前記特許文献３に記載の３ポートソレノイドバルブ（例えば、ＳＭＣ社製、小型直動３ポートソレノイドバルブＶ０６０シリーズ）と５ポートソレノイドバルブ（例えば、コガネイ社製、０１０−４Ｅ１シリーズ）を使用することが出来る。
【００１８】
図１と図２は、ピストン２９の作動方向２０を逆向きにして支持部材１５の正面と背面に設けた２個１組となる各シリンダー２１・２２が、それぞれ１個の３ポートソレノイドバルブ（１１・１２・１３・１４）に操作されるダブルシリンダータイプの分割ロールを図示する。支持部材１５には、矩形断面形状の桿材の四隅を直角に切り欠いて３ポートソレノイドバルブを嵌め込むための溝壁面が直交する直角形の嵌込溝３１・３２・３３・３４が設けられている。支持部材１５の正面と背面にはピストン２９を装着する円筒形凹部１９が設けられている。支持部材１５には、その軸芯１０に沿って貫通した流通管１８と、その流通管１８から各３ポートソレノイドバルブ１１・１２・１３・１４に続く分岐管３５と、３ポートソレノイドバルブ１１・１２・１３・１４からシリンダー２１・２２に続く支管３６が穿設されている。可動部材１６は、短円柱形部材の中心部に貫通した矩形の開口を穿設して構成され、その開口の上面と下面が支持部材１５の平面と底面に摺接している。その開口の左右の側面に互いに逆向きになっているシリンダー２１・２２のピストン２９・２９が作動するとき、可動部材１６は、支持部材の軸芯に直交する方向２０において往復振動する。分割ユニットロール１７は、ベアリング２６を介して可動部材１６に回転可能に支持されている。
【００１９】
図１に図示する分割ロールでは、支持部材１５の矩形断面の対角称上に位置する二隅の嵌込溝３１・３３に３ポートソレノイドバルブ１１・１２が装着されている。このように３ポートソレノイドバルブを２方向に分けて装着したダブルシリンダータイプの分割ユニットロールの幅は、前記特許文献１と２に記載の各可動部材が１個のシリンダーと１個の戻しバネによって往復振動するシングルシリンダータイプの分割ユニットロールの幅と同様に、３ポートソレノイドバルブ１１・１２の寸法と略同じになる。従って、本発明によると、分割ユニットロール１７の幅を変えることなく、１個の可動部材を駆動するシリンダーの数を１個（シングルシリンダータイプ）から２個（ダブルシリンダータイプ）に変えることが出来る（図１）。
【００２０】
図２に図示する分割ロール２３では、支持部材の四隅の嵌込溝３１・３２・３３・３４に３ポートソレノイドバルブが装着されている。この四隅に装着された３ポートソレノイドバルブ１１・１２・１３・１４の軸芯方向１０での取付位置は、ソレノイドバルブの寸法Ｓの４分の１づつずれており、四隅の各嵌込溝３１・３２・３３・３４に嵌め込まれた複数個の各隣合う３ポートソレノイドバルブは略密着している。このため、３ポートソレノイドバルブが四隅、即ち４方向に分けて装着されたダブルシリンダータイプの分割ユニットロール１７の幅Ｗは、３ポートソレノイドバルブの寸法Ｓの略半分になる。
【００２１】
図３〜７は、５ポートソレノイドバルブ１１・１２を使用したダブルシリンダータイプの分割ロール２３を図示する。支持部材１５は、矩形断面形状の桿材の平面と底面に軸芯１０に平行に５ポートソレノイドバルブ１１・１２を嵌め込む矩形断面形状の嵌込溝３１・３２を設け、その正面と背面にピストン２９を装着する円筒形凹部１９を設け、５ポートソレノイドバルブからシリンダーに気圧を伝達する支管３６を穿設して構成されている。上側の嵌込溝３１に装着された各５ポートソレノイドバルブ１１と下側の嵌込溝３２に装着された各５ポートソレノイドバルブ１２は、それぞれピストン２９の作動方向２０を逆向きにして支持部材１５の正面と背面に設けた２個１組となる各シリンダー２１・２２に接続されており、その２個１組となる２個のシリンダー２１・２２を択一的に操作している。可動部材１６は、矩円柱形部材の中心部に矩形の開口を穿設すると共に、その左右の側面にそれぞれ支持部材１５の正面と背面が摺接して嵌合する嵌合溝３０・３０を設けて構成されている。分割ユニットロール１７は、ベアリング２６を介して可動部材１６に回転可能に支持されている。支持部材１５に装着した可動部材１６の左右の嵌合溝３０の溝底面３７に、シリンダー２１・２２から択一的に出没駆動されるピストン２９・２９が交互に作用するとき、可動部材１６は、支持部材の軸芯１０の直交方向２０に往復振動する。嵌込溝３１・３２に嵌め込まれた５ポートソレノイドバルブ１１・１２は、押さえ板２７によって固定される。押さえ板２７には、支持部材１５の軸芯１０に平行に並ぶ５ポートソレノイドバルブに接続される貫通した流通管１８が穿設されている。
【００２２】
上側の嵌込溝３１に装着されて一直線上に並ぶ各５ポートソレノイドバルブ１１ａ・１１ｂ・１１ｃ………の軸芯方向１０での取付位置と、下側の嵌込溝３２に装着されて一直線上に並ぶ各５ポートソレノイドバルブ１２ａ・１２ｂ・１２ｃ………の軸芯方向１０での取付位置とは、それらの５ポートソレノイドバルブの寸法Ｓの略２分の１づつずれており、上側の５ポートソレノイドバルブ１１と下側の５ポートソレノイドバルブ１２は、交互して千鳥状に並んでいる（図７）。その各５ポートソレノイドバルブ１１・１２は、それぞれピストンの作動方向が逆向きになる２個１組となる２個のシリンダー２１・２２を択一的に操作する。このため、図３〜７に図示するダブルシリンダータイプの分割ロール２３の分割ユニットロール１７の幅Ｗは、５ポートソレノイドバルブの寸法Ｓの略半分になる。
【００２３】
図８は、戻しバネ２８が、シリンダーの円筒形凹部１９とは逆向きに支持部材に設けられた円筒形凹部３８にタペット３９を介して、可動部材１６をシリンダーのピストン２９の作動方向とは逆向きに付勢するように構成されたシングルシリンダータイプの分割ロールの軸芯部分を図示するものである。即ち、図８に図示される分割ロールには、図３〜７に図示する分割ロールの正面側に並ぶシリンダー２１ａ・２１ｂ・２１ｃ・２１ｄ………の中の１個おきのシリンダーと、背面側に並ぶシリンダー（２２・２２・２２………）の中の１個おきのシリンダー（２２）に代えて、可動部材の嵌合溝３０の溝底面３７を押圧する戻しバネ２８が適用されている。支持部材１５には、ピストン２９を装着する円筒形凹部１９と、戻しバネ２８を装着する円筒形凹部３８が軸芯方向１０に交互に穿設されている。各戻しバネ２８は、それぞれ支持部材の正面側と背面側とでシリンダー２１（２２）に背中合わせになり、シリンダーのピストン２９とは逆向きに可動部材１６を付勢している。このため、シリンダーのピストン２９によって押し出された可動部材１６は、戻しバネ２８によって押し戻されることになる。従って、図８に図示される分割ロールには、３ポートソレノイドバルブが使用され、５ポートソレノイドバルブは適用されない。その交互に逆向きに配置されるシリンダー２１・２２を操作する３ポートソレノイドバルブ１１・１２を上下に分けて支持部材１５に装着することとしたので、シングルシリンダータイプの分割ロールであっても、その分割ユニットロール１７の幅Ｗを３ポートソレノイドバルブ１１・１２の寸法Ｓの略半分にすることが出来る。
【００２４】
可動部材１６の材質は、アルミニウム合金、ジュラルミン、マグネシウム合金等の高強度材質にする。支持部材１５と押さえ板２７の材質は、炭素鋼、焼き入れ性を保証したクロムモリブデン鋼、ニッケルクロム鋼、マンガンクロム鋼、クロム鋼とし、焼き入れ処理を行ってマイクロビッカーズ硬さを５００以上とする。又、可動部材１６と支持部材１５にはＮＩ・Ｐをマトリックスとした無電解複合メッキや四フッ化樹脂による硬質皮膜処理を施す。そうすることによって、可動部材１６と支持部材１５の間のスベリがよく、摩耗し難く、可動部材１６に作用するピストン２９の負荷を軽減することが出来、シリンダー２１・２２を小型化して支持部材１５の強度を保ち、ピストン２９（シリンダー２１・２２）を駆動するコンプレッサーの消費電力も少なくすることが出来、分割ロール２３を軽量化し取り扱い易くすることが出来る。
【図面の簡単な説明】
【００２５】
【図１】本発明に係る分割ロールの断面図である。
【図２】本発明に係る分割ロールの透視斜視図である。
【図３】本発明に係る分割ロールの断面図である。
【図４】本発明に係る分割ロールの斜視図である。
【図５】本発明に係る分割ロールの支持部材の斜視図である。
【図６】本発明に係る分割ロールの軸芯部分の斜視図である。
【図７】本発明に係る分割ロールの切換装置の配置斜視図である。
【図８】本発明に係る分割ロールの軸芯部分の斜視図である。
【符号の説明】
【００２６】
１０：軸芯
１１・１２・１３・１４：切換装置（ソレノイドバルブ）
１５：支持部材
１６：可動部材
１７：分割ユニットロール（筒体）
１８：流通管
１９：円筒形凹部
２０：直交方向（ピストン作動方向）
２１・２２：シリンダー
２３：分割ロール
２４：練りロール
２５：ファンテンロール
２６：ベアリング
２７：押さえ板
２８：戻しバネ
２９：ピストン
３０：嵌合溝
３１・３２・３３・３４：嵌込溝
３５：分岐管
３６：支管
３７：溝底面
３８：円筒形凹部
３９：タペット
【図１】
2005178139.tif 000003
【図２】
2005178139.tif 000004
【図３】
2005178139.tif 000005
【図４】
2005178139.tif 000006
【図５】
2005178139.tif 000007
【図６】
2005178139.tif 000008
【図７】
2005178139.tif 000009
【図８】
2005178139.tif 000010